(57)【特許請求の範囲】
【請求項１】
プレキャストコンクリート梁のジョイント部における、間隙を置いて並設された梁下端筋に跨がって吊持されるように形成されたコ字形のセパレーター筋と、
前記セパレーター筋の端部に螺着された型枠受け用のナットとからなること、
を特徴とする梁底型枠用支持金具。
【請求項２】
プレキャストコンクリート梁のジョイント部において、接続手段で接続された梁下端筋に、請求項1に記載の梁底型枠用支持金具が適宜間隔を置いて接続方向に配置されて吊持され、前記梁底型枠用支持金具によるナットの撤去部分に充填材が充填されていること、
を特徴とするＰＣａ梁ジョイント部の構造。
【請求項３】
請求項1に記載の梁底型枠用支持金具を形成し、
プレキャストコンクリート梁を対向させて配設した後に、
該対向したプレキャストコンクリート梁のジョイント部における梁下端筋を少なくとも接続し、
間隔を置いて並設された前記梁下端筋に跨がって載置させて前記梁底型枠用支持金具を吊持させ、
前記梁底型枠用支持金具に梁底型枠を取り付け該梁底型枠用支持金具を介して前記梁下端筋に梁底型枠を支持させ、
前記ジョイント部の左右側方に梁側型枠を取り付けて支持させ、
前記ジョイント部の梁底型枠および梁側型枠で形成される型枠内にコンクリートを打設すること、
を特徴とするＰＣａ梁ジョイント部の構築方法。
【発明の詳細な説明】
【技術分野】
【０００１】
本発明は、プレキャストコンクリート（ＰＣａと略記する、以下同じ）梁のセンタージョイント部における、梁底型枠用支持金具とＰＣａ梁ジョイント部の構造とその構築方法に関するものである。
【背景技術】
【０００２】
従来、図４に示すように、ＰＣａ工法におけるＰＣａ梁１３，１３のセンタージョイント部の形成には、図４に示すように、梁主筋等を機械式継手で接続した後、梁底および梁の左右側に型枠１４と、前記梁底の型枠を支持させるためスラブ１６から立設される支保工１５とを設置して、前記型枠１４内にコンクリートを打設して形成している。この従来例の先願として、特許文献１の図５，図６に示すＰＣａ工法が知られている。
【先行技術文献】
【特許文献】
【０００３】
【特許文献１】特開２０００−３３６９２９号公報
【発明の概要】
【発明が解決しようとする課題】
【０００４】
しかし、従来の梁底型枠を支保工１５に支持させて、梁底・左右側の型枠内にコンクリートを打設しＰＣａ梁のセンタージョイント部を形成する工法では、支保工１５の設置と、打設コンクリートの硬化後に、前記型枠撤去のために支保工１５を撤去するという作業工程が発生する。また、センタージョイント部の下に前記支保工１５が存在することで、作業員の移動や資材搬入出作業などにおいて他の作業の邪魔になるばかりで無く、近年の型枠大工の労務不足によって、型枠工事の作業工程が増えると全体工程の遅延の要因となるという課題がある。
【０００５】
本発明に係る梁底型枠用支持金具と、ＰＣａ梁ジョイント部の構造とその構築方法は、このような課題を解決するために提案されたものである。
【課題を解決するための手段】
【０００６】
本発明に係る梁底型枠用支持金具の上記課題を解決して目的を達成するための要旨は、  プレキャストコンクリート梁のジョイント部における、間隙を置いて並設された梁下端筋に跨がって吊持されるように形成されたコ字形のセパレーター筋と、前記セパレーター筋の端部に螺着された型枠受け用のナットとからなることである。
【０００７】
本発明に係るＰＣａ梁ジョイント部の構造の要旨は、プレキャストコンクリート梁のジョイント部において、接続手段で接続された梁下端筋に、前記梁底型枠用支持金具が適宜間隔を置いて接続方向に配置されて吊持され、前記梁底型枠用支持金具によるナットの撤去部分に充填材が充填されていることである。
【０００８】
本発明に係るＰＣａ梁ジョイント部の構築方法の要旨は、前記本発明に係る梁底型枠用支持金具を形成し、プレキャストコンクリート梁を対向させて配設した後に、該対向したプレキャストコンクリート梁のジョイント部における梁下端筋を少なくとも接続し、間隔を置いて並設された前記梁下端筋に跨がって載置させて前記梁底型枠用支持金具を吊持させ、前記梁底型枠用支持金具に梁底型枠を取り付けるとともに該梁底型枠用支持金具を介して前記梁下端筋に梁底型枠を支持させ、前記ジョイント部の左右側方に梁側型枠を取り付けて支持させ、前記ジョイント部の梁底型枠および梁側型枠で形成される型枠内にコンクリートを打設することである。
【発明の効果】
【０００９】
本発明の梁底型枠用支持金具と、ＰＣａ梁ジョイント部の構造とその構築方法によれば、梁底型枠を梁底型枠用支持金具を介して梁下端筋で支持して、従来の支保工が不要となるので、型枠工事の作業工程を短縮して労務不足への対応が可能となり、結果的に全体工程の短縮に貢献すると言う優れた効果を奏するものである。
【図面の簡単な説明】
【００１０】
【図１】本発明に係る梁底型枠用支持金具１の使用状態を示す、ＰＣａ梁ジョイント部の正面図である。
【図２】同本発明の梁底型枠用支持金具１の使用状態の、一部拡大正面図（Ａ）と、同側面図（Ｂ）とである。
【図３】同ＰＣａ梁ジョイント部の、梁底型枠用支持金具１のナットを撤去した後の、充填材で補修した状態を示す一部拡大断面図である。
【図４】従来例に係るＰＣａジョイント部の梁底型枠を支保工１５で支持する様子を示す側面図である。
【発明を実施するための形態】
【００１１】
図１に示すように、本発明に係る梁底型枠用支持金具１を梁下端筋４に吊持させて、梁底型枠６を支持させるようにしたものである。
【実施例１】
【００１２】
前記梁底型枠用支持金具１は、図２（Ａ），（Ｂ）に示すように、ＰＣａ梁（図４参照）１３，１３のセンタージョイント部における、間隙を置いて並設された梁下端筋４，４に跨がって吊持されるように形成されたコ字形のセパレーター筋２と、該セパレーター筋２の端部に螺着された型枠受け用の型枠受用ナット３とからなる。
【００１３】
前記セパレーター筋２は、コ字形に形成されて、隣接する前記梁下端筋４，４に跨がって載置されるが、図１に示すように、隣接する２本の梁下端筋ばかりで無く、間に１本若しくは複数本の梁下端筋を置いて、その両側の梁下端筋４，４に跨がって掛けるような大きさのコ字形に形成しても良い。
【００１４】
前記型枠受用ナット３は、例えば、Ｐコーンや六角座金などである。これは、コンクリート体表面の仕上げの相違により選択されるものである。
【００１５】
上記梁底型枠用支持金具１を使用したセンタージョイント部の構造は、図１乃至図２（Ａ），（Ｂ）に示すように、機械式継手（図示せず）などの接続手段で接続された梁下端筋４，４に跨がって吊持され、前記梁底型枠用支持金具１が前記梁下端筋４の接続方向（長手方向）に適宜間隔を置いて配置される。図３に示すように、前記梁底型枠用支持金具１による型枠受用ナット３の撤去跡１１ａには、充填材１２が充填されている。
【００１６】
また、このセンタージョイント部の形成方法としては、例えば、図２に示す前記梁底型枠用支持金具１を形成する。ＰＣａ梁１３，１３を対向させて柱等に架設し支保工で支持させた後に、該対向したＰＣａ梁１３，１３のセンタージョイント部における梁上端筋、梁下端筋４を機械式継手などで接続して配筋する。
【００１７】
間隔を置いて並設された前記梁下端筋４，４に跨がって載置させて前記梁底型枠用支持金具１を、例えば２箇所から３箇所に吊持させる。型枠受用ナット３が、Ｐコーンであれば該Ｐコーンに、フォームタイ（登録商標）３ｂにおけるねじ棒３ａを螺着させて、該ねじ棒３ａとＰコーンの型枠受用ナット３とを、セパレーター筋２の端部のネジ部に螺着させる。
【００１８】
前記梁底型枠用支持金具１に梁底型枠６を取り付けて、端太材７を互いに直交させて支持させて、フォームタイ（登録商標）３ｂにおける締付金具８とナット９とで固定する。
【００１９】
次に、図１に示すように、前記センタージョイント部の左右側方に梁側型枠１０を取り付けて支持させる。なお、前記梁底型枠６と梁側型枠１０とは、いずれが先に構築されても良く、特にその順番を限定するものではない。そして、ＰＣａ梁１３の対向した端面と、前記センタージョイント部の梁底型枠６および梁側型枠１０，１０で形成される型枠内にコンクリートを打設する。
【００２０】
図３に示すように、前記打設したコンクリート１１が所要の強度を発現したら、梁底・梁側の型枠６，１０をそれぞれ撤去する。そして、前記梁底型枠用支持金具１の型枠受用ナット３であるＰコーンの凹部状の撤去跡１１ａに、モルタル等の充填材１２を充填する。
【００２１】
このように、ＰＣａ梁ジョイント部の構築方法によってセンタージョイント部が構築される。このセンタージョイント部においては、その下に支保工１５が設置されないので、作業員の移動・通過および資材搬入出作業が容易となり、前記支保工１５の設置作業、撤去作業も不要となる。
【符号の説明】
【００２２】
１          梁底型枠用支持金具、
２          セパレーター筋、
３          型枠受用ナット、                ３ａ        ねじ棒、
３ｂ        フォームタイ（登録商標）、
４          梁下端筋、                      
５          あばら筋（スターラップ）、
６          梁底型枠、
７          端太材、
８          締付金具、
９          ナット、
１０        梁側型枠、
１１        コンクリート、
１１ａ      撤去跡、
１２        充填材、
１３        ＰＣａ梁、
１４        型枠、
１５        支保工（サポート）、
１６        スラブ。
【図１】
0006379045.tif 000002
【図２】
0006379045.tif 000003
【図３】
0006379045.tif 000004
【図４】
0006379045.tif 000005